【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
３．０重量部(ｐｂｗ)未満の没食子酸含有量を有するタンニン酸を含む水性処理組成物であって、当該タンニン酸は、当該水性処理組成物の総重量に基づいて、当該水性処理組成物中、最大０．５ｐｂｗで存在している水性処理組成物。
【請求項２】
前記タンニン酸が、２．０ｐｂｗ未満の没食子酸含有量を有する、請求項１に記載の処理組成物。
【請求項３】
前記タンニン酸が、前記組成物中、０．００５ｐｂｗ〜０．４ｐｂｗで存在している、請求項１に記載の処理組成物。
【請求項４】
３．０未満のｐＨを有する請求項１に記載の水性処理組成物。
【請求項５】
請求項１に記載の水性処理組成物であって、更に：
ａ）耐汚染化合物；
ｂ）架橋剤；
ｃ）フッ素化合物；又は
ｄ）有機ケイ酸塩材料、
を含む水性処理組成物。
【請求項６】
請求項５に記載の水性処理組成物であって、前記耐汚染化合物が存在し且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性乳濁液であって、当該モノマーは(メタ)アクリル酸、アルキル(メタ)アクリル酸、及び置換もしくは非置換のスチレンを含む、
水性処理組成物。
【請求項７】
前記水性処理組成物の総重量に基づいて、前記耐汚染化合物が０．０ｐｂｗ超〜２．０ｐｂｗの固体で存在している、請求項５に記載の水性処理組成物。
【請求項８】
請求項５に記載の水性処理組成物であって、前記架橋剤が存在しており且つ酒石酸アンチモンカリウム又は塩化第一スズを含む、水性処理組成物。
【請求項９】
前記水性処理組成物の総重量に基づいて、前記フッ素化合物が０．０００１ｐｂｗ〜５．０ｐｂｗで存在している、請求項５に記載の水性処理組成物。
【請求項１０】
繊維、糸又はカーペットを処理する方法であって：
ａ）第一の水性処理組成物であって、タンニン酸及び架橋剤を含む水性処理組成物を、繊維、糸又はカーペットに対して適用し；そして
ｂ）第二の水性処理組成物であって、
ｉ）耐汚染化合物；
ii）１又は複数の架橋剤；
iii）フッ素化合物；又は
iv）有機ケイ酸塩材料、
を含む水性処理組成物を、当該繊維、カーペット又は糸に対して適用する、
ことを含む方法。
【請求項１１】
前記タンニン酸が、３．０重量部未満の没食子酸含有量を有する、請求項１０に記載の方法。
【請求項１２】
前記処理された繊維、糸又はカーペットが、タンニン酸を、当該乾燥繊維、糸又はカーペットの総重量に基づいて、最大５．０ｏｗｆを有する、請求項１０に記載の方法。
【請求項１３】
前記第一の水性処理溶液中の前記架橋剤は、酒石酸アンチモンカリウムを含む、請求項１０に記載の方法。
【請求項１４】
前記耐汚染化合物が第二の水性処理組成物中に存在しており且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性乳濁液であって、当該モノマーは(メタ)アクリル酸、アルキル(メタ)アクリル酸、及び置換もしくは非置換のスチレンを含む、
請求項１０に記載の方法。
【請求項１５】
ａ）とｂ）の間に更に、１６０°Ｆ〜２６０°Ｆの温度で、１５〜６０分の範囲の時間に渡り加熱する工程を含む請求項１０に記載の方法。
【請求項１６】
前記第一の水性処理溶液が更に：
ａ）耐汚染化合物；
ｂ）フッ素化合物；又は
ｃ）有機ケイ酸塩材料、
を含む請求項１０に記載の方法。
【請求項１７】
前記耐汚染化合物が当該第一の水性処理組成物中に存在しており且つ当該化合物を繊維、糸又はカーペットに対して最大４.０ｏｗｆで適用している請求項１６に記載の方法。
【請求項１８】
前記耐汚染化合物が前記第一の水性処理組成物中に存在しており且つ繊維、糸又はカーペットに対して０．２５〜３.０ｏｗｆにおいて適用している請求項１６に記載の方法。
【請求項１９】
前記耐汚染化合物が前記第一の水性処理組成物中に存在しており且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性乳濁液であって、当該モノマーは(メタ)アクリル酸、アルキル(メタ)アクリル酸、及び置換もしくは非置換のスチレンを含む、
請求項１６に記載の方法。
【請求項２０】
前記フッ素化合物が前記第二の水性処理組成物中に存在しており且つ当該化合物を繊維、糸又はカーペットに対して、当該繊維、糸又はカーペットの乾燥総重量に基づいて、１００〜８００ｐｐｍの範囲の量において適用している、請求項１６に記載の方法。
【請求項２１】
前記架橋剤が前記第二の水性処理組成物中に存在しており且つ塩化第一スズを含む、請求項１６に記載の方法。
【請求項２２】
前記第一の水性処理組成物及び第二の水性処理組成物のいずれかあるいは両方がｐＨ３未満を有する、請求項１０に記載の方法。
【請求項２３】
繊維、糸又はカーペットを処理する方法であって：
ａ）第一の水性処理組成物を、繊維、糸又はカーペットに対して適用すること、
を含み、
ここで当該水性処理組成物はタンニン酸を含み、そして当該タンニン酸は３．０重量部未満の没食子酸含有量を有する、
方法。
【請求項２４】
１．０重量部(ｐｂｗ)未満の没食子酸含有量を有するタンニン酸を含む水性処理組成物であって、当該タンニン酸は、当該水性処理組成物の総重量に基づいて、当該水性処理組成物中、最大０．５ｐｂｗで存在している水性処理組成物。
【請求項２５】
前記タンニン酸が、前記組成物中、０．００５ｐｂｗ〜０．４ｐｂｗで存在している、請求項２４に記載の水性処理組成物。
【請求項２６】
請求項２４に記載の水性処理組成物であって：
ａ）メタクリル酸のポリマーもしくはコポリマー；
ｂ）フェノール樹脂；
ｃ）スチレン−無水マレイン酸コポリマー；又は
ｄ）重合されたモノマーの水性乳濁液であって、当該モノマーは(メタ)アクリル酸、アルキル(メタ)アクリル酸、及び置換もしくは非置換のスチレンを含む、
耐汚染化合物を更に含む水性処理組成物。
【請求項２７】
ａ）タンニン酸を含む第一の水性処理組成物；及び
ｂ）フッ素化合物を含む独立の第二の局所処理組成物
を含む２部の水性処理方法。
【請求項２８】
前記水性処理組成物の総重量に基づいて、前記タンニン酸が、３．０重量部未満の没食子酸含有量を有する、請求項２７に記載の水性処理方法。
【請求項２９】
前記水性処理組成物の総重量に基づいて、前記タンニン酸が、１．０重量部未満の没食子酸含有量を有する、請求項２７に記載の水性処理方法。
【請求項３０】
タンニン酸及び局所適用されるフッ素化合物を含む、繊維、糸又はカーペット。
【請求項３１】
前記水性処理組成物の総重量に基づいて、前記タンニン酸が、３．０重量部未満の没食子酸含有量を有する、請求項３０に記載の繊維、糸又はカーペット。
【請求項３２】
前記水性処理組成物の総重量に基づいて、前記タンニン酸が、１．０重量部未満の没食子酸含有量を有する、請求項３０に記載の繊維、糸又はカーペット。
【請求項３３】
繊維、糸又はカーペットを処理する方法であって以下の連続工程：
ａ）第一の水性処理組成物を、繊維、糸又はカーペットに対して適用し、ここで当該第一の水性処理組成物はタンニン酸を含み；
ｂ）当該繊維、糸又はカーペットを少なくとも１６０Ｆ°の温度に加熱し；
ｃ）当該繊維、糸又はカーペットに第二の局所処理組成物を適用し、ここで第二の局所処理組成物はフッ素化合物を含み；そして
ｄ）当該繊維、糸又はカーペットを少なくとも１６０Ｆ°の温度に加熱すること、
を含んで成る方法。
【請求項３４】
前記第一の水性処理組成物を適用する工程と前記第二の局所処理組成物を適用する工程の間の加熱工程が、１５秒〜６０分の間に、１６０Ｆ°〜２６０Ｆ°の温度を有する、請求項３３に記載の方法。
【請求項３５】
前記第二の局所処理組成物を適用する工程の後の前記加熱工程が、乾式加熱を使用する、請求項３３に記載の方法。
【請求項３６】
前記タンニン酸が、３．０重量部未満の没食子酸含有量を有する、請求項３３に記載の方法。
【請求項３７】
前記タンニン酸が、１．０重量部未満の没食子酸含有量を有する、請求項３３に記載の方法。
【請求項３８】
繊維、糸又はカーペットを処理する方法であって以下の連続工程：
ａ）浸漬、スロットコーティング、浸漬コーティング、スプレーコーティング、パッドコーティング又はこれらの組み合せを用いて、第一の水性処理組成物を、繊維、糸又はカーペットに対して適用し、ここで当該第一の水性処理組成物はタンニン酸を含み；
ｂ）当該繊維、糸又はカーペットを少なくとも１６０Ｆ°の温度に加熱し；
ｃ）スプレーコーティング、泡コーティング又はこれらの組み合せを用いて、当該繊維、糸又はカーペットに第二の局所処理組成物を適用し、ここで第二の水性処理組成物はフッ素化合物を含み；そして
ｄ）乾式加熱を用いて、当該繊維、糸又はカーペットを少なくとも１６０Ｆ°の温度に加熱すること、
を含んで成る方法。
【請求項３９】
請求項３３又は請求項３８に記載の方法によって生産された繊維、糸又はカーペット。